(57)【要約】【課題】タイトルを取得する際の取得料金を明確にする。【解決手段】表示装置１００は、表示制御部１０６を備える。算出部１０５は、受付部１０４が受け付けたタイトル要求楽曲数に対応してタイトルの取得に要する取得料金を算出する。表示制御部１０６は、受付部１０４が受け付けたタイトル要求楽曲数と、算出部１０５によって算出された取得料金とをそれぞれグラフ表示させた画面情報を出力する。表示部１０７は、表示制御部１０６から出力されたタイトル要求楽曲数の画面情報と、取得料金の画面情報とをグラフ表示する。【選択図】図１
2008242940.tif 000002
【特許請求の範囲】
【請求項１】
楽曲を記録する記録手段と、
前記楽曲のタイトルを取得する取得手段と、
前記記録手段に記録される楽曲の中から、タイトルが付与されていないタイトル未付与楽曲数を抽出する抽出手段と、
前記抽出手段によって抽出された前記タイトル未付与楽曲数の中から、タイトルの取得を要求するタイトル要求楽曲数の入力を受け付ける受付手段と、
前記受付手段が受け付けた前記タイトル要求楽曲数に対応してタイトルの取得に要する取得料金を算出する算出手段と、
前記受付手段が受け付けた前記タイトル要求楽曲数と、前記算出手段によって算出された取得料金とをそれぞれグラフ表示させた画面情報を出力する表示制御手段と、
前記表示制御手段から出力された前記タイトル要求楽曲数と前記取得料金との画面情報をグラフ表示する表示手段と、
を備えることを特徴とする表示装置。
【請求項２】
前記表示制御手段は、前記タイトル要求楽曲数に応じた領域を示す要求曲数グラフの画面情報と、前記取得料金に応じた領域を示す料金グラフの画面情報とを出力し、
前記表示手段は、前記表示制御手段から出力された画面情報を基に、前記要求曲数ブラフと、前記料金グラフとを表示することを特徴とする請求項１に記載の表示装置。
【請求項３】
前記要求曲数グラフは、前記タイトル未付与楽曲数に対する前記タイトル要求楽曲数の割合を示す画面情報であり、
前記料金グラフは、予め設定される所定の料金に対する前記算出された取得料金の割合を示す画面情報であることを特徴とする請求項２に記載の表示装置。
【請求項４】
前記表示制御手段は、前記要求曲数グラフと、前記料金グラフとを並列に配置した画面情報を出力することを特徴とする請求項２に記載の表示装置。
【請求項５】
前記表示制御手段は、前記記録手段に記録される総楽曲数に対する前記タイトル未付与楽曲数の割合を示す総曲数グラフの画面情報を出力し、
前記表示手段は、前記表示制御手段から出力された画面情報を基に、前記総曲数グラフを表示することを特徴とする請求項１に記載の表示装置。
【請求項６】
前記抽出手段によって抽出された前記タイトル未付与楽曲数から前記受付手段が受け付けたタイトル要求楽曲数を減じた残楽曲数を算定する算定手段をさらに備え、
前記表示制御手段は、前記記録手段に記録される総楽曲数に対する、前記タイトル要求楽曲数の割合と、前記残楽曲数の割合と、タイトルが既に付与されているタイトル付与済楽曲数の割合と、を示す前記総曲数グラフの画面情報を出力することを特徴とする請求項５に記載の表示装置。
【請求項７】
前記要求曲数グラフ、前記料金グラフ、および前記総曲数グラフは、バー表示されたものであることを特徴とする請求項５または６に記載の表示装置。
【請求項８】
前記記録手段にタイトルが付与されていない前記タイトル未付与楽曲数を検知する検知手段と、
前記検知手段によって検知された前記タイトル未付与楽曲数が所定の楽曲数に達したときに、前記抽出手段によるタイトル未付与楽曲数の抽出を開始させる起動手段と、
をさらに備えることを特徴とする請求項１〜７のいずれか一つに記載の表示装置。
【請求項９】
前記取得手段は、予め設定された通信網を介して前記楽曲のタイトルを取得し、
前記算出手段は、前記通信網を用いる日時、移動状態、または通信機種に応じて、一曲あたりの取得料金を算出することを特徴とする請求項１〜８のいずれか一つに記載の表示装置。
【請求項１０】
楽曲を記録する記録工程と、
前記楽曲のタイトルを取得する取得工程と、
前記記録工程に記録される楽曲の中から、タイトルが付与されていないタイトル未付与楽曲数を抽出する抽出工程と、
前記抽出工程によって抽出された前記タイトル未付与楽曲数の中から、タイトルの取得を要求するタイトル要求楽曲数の入力を受け付ける受付工程と、
前記受付工程が受け付けた前記タイトル要求楽曲数に対応してタイトルの取得に要する取得料金を算出する算出工程と、
前記受付工程が受け付けた前記タイトル要求楽曲数と、前記算出工程によって算出された取得料金とをそれぞれグラフ表示させた画面情報を出力する表示制御工程と、
前記表示制御工程から出力された前記タイトル要求楽曲数と前記取得料金との画面情報をグラフ表示する表示工程と、
を含むことを特徴とする表示方法。
【請求項１１】
請求項１０に記載の表示方法をコンピュータに実行させることを特徴とする表示制御プログラム。
【請求項１２】
請求項１１に記載の表示制御プログラムを記録したことを特徴とするコンピュータに読み取り可能な記録媒体。
【発明の詳細な説明】
【技術分野】
【０００１】
この発明は、表示装置、表示方法、表示制御プログラム、および記録媒体に関する。ただし、この発明の利用は上述の表示装置、表示方法、表示制御プログラム、および記録媒体には限らない。
【背景技術】
【０００２】
従来、楽曲などを記録再生する音響装置には、楽曲毎のタイトルを表示する表示装置を備えたものが知られている。このような表示装置は、楽曲に付与されている、トラック（曲）数、演奏時間、タイトル情報などを記録するＴＯＣ（Ｔａｂｌｅ  Ｏｆ  Ｃｏｎｔｅｎｔｓ）の情報に基づいて、タイトルを表示する。一方、ＴＯＣにタイトル情報が記録されていない楽曲については、たとえば、タイトルが付与されていない楽曲をリスト化して表示する。
【０００３】
このようなタイトルが付与されていない楽曲にタイトルを付与させるために、たとえば、ＴＯＣに該当するタイトル情報をインターネットを通じてサーバからダウンロードして、タイトル情報を取得するようにした技術が提案されている（たとえば、下記特許文献１参照。）。
【０００４】
【特許文献１】特開２００３−５８５４３号公報
【発明の開示】
【発明が解決しようとする課題】
【０００５】
しかしながら、上述した特許文献１の技術では、利用者は、タイトルを取得するに際して、通信料金がどの程度かかるのか不明であり、タイトルを取得し過ぎてしまうことや、タイトルの取得を抑え過ぎてしまうことがあり、利用者が希望する適正なタイトル数を取得できないといった問題が一例として挙げられる。
【課題を解決するための手段】
【０００６】
上述した課題を解決し、目的を達成するため、請求項１の発明にかかる表示装置は、楽曲を記録する記録手段と、前記楽曲のタイトルを取得する取得手段と、前記記録手段に記録される楽曲の中から、タイトルが付与されていないタイトル未付与楽曲数を抽出する抽出手段と、前記抽出手段によって抽出された前記タイトル未付与楽曲数の中から、タイトルの取得を要求するタイトル要求楽曲数の入力を受け付ける受付手段と、前記受付手段が受け付けた前記タイトル要求楽曲数に対応してタイトルの取得に要する取得料金を算出する算出手段と、前記受付手段が受け付けた前記タイトル要求楽曲数と、前記算出手段によって算出された取得料金とをそれぞれグラフ表示させた画面情報を出力する表示制御手段と、前記表示制御手段から出力された前記タイトル要求楽曲数と前記取得料金との画面情報をグラフ表示する表示手段と、を備えることを特徴とする。
【０００７】
また、請求項１０の発明にかかる表示方法は、楽曲を記録する記録工程と、前記楽曲のタイトルを取得する取得工程と、前記記録工程に記録される楽曲の中から、タイトルが付与されていないタイトル未付与楽曲数を抽出する抽出工程と、前記抽出工程によって抽出された前記タイトル未付与楽曲数の中から、タイトルの取得を要求するタイトル要求楽曲数の入力を受け付ける受付工程と、前記受付工程が受け付けた前記タイトル要求楽曲数に対応してタイトルの取得に要する取得料金を算出する算出工程と、前記受付工程が受け付けた前記タイトル要求楽曲数と、前記算出工程によって算出された取得料金とをそれぞれグラフ表示させた画面情報を出力する表示制御工程と、前記表示制御工程から出力された前記タイトル要求楽曲数と前記取得料金との画面情報をグラフ表示する表示工程と、を含むことを特徴とする。
【０００８】
また、請求項１１の発明にかかる表示制御プログラムは、請求項１０に記載の表示方法をコンピュータに実行させることを特徴とする。
【０００９】
また、請求項１２の発明にかかる記録媒体は、請求項１１に記載の表示制御プログラムをコンピュータに読み取り可能に記録したことを特徴とする。
【発明を実施するための最良の形態】
【００１０】
以下に添付図面を参照して、この発明にかかる表示装置、表示方法、表示制御プログラム、および記録媒体の好適な実施の形態を詳細に説明する。
【００１１】
（実施の形態）
（表示装置の機能的構成）
この発明の実施の形態にかかる表示装置１００の機能的構成について説明する。図１は、実施の形態にかかる表示装置の機能的構成の一例を示すブロック図である。図１において、表示装置１００は、記録部１０１と、取得部１０２と、抽出部１０３と、受付部１０４と、算出部１０５と、表示制御部１０６と、表示部１０７と、算定部１０８と、検知部１０９と、起動部１１０と、を備えて構成される。
【００１２】
記録部１０１は、楽曲を記録する。記録部１０１は、具体的には、表示装置１００内に内蔵されるハードディスクであってもよいし、着脱可能なＣＤ、ＭＤ、ＦＤ、ＭＯ、メモリカードなどであってもよい。取得部１０２は、楽曲のタイトルを取得する。取得部１０２の取得方式は、有線、無線を問わない。
【００１３】
抽出部１０３は、記録部１０１に記録される楽曲の中から、タイトルが付与されていないタイトル未付与楽曲数を抽出する。抽出部１０３は、たとえば、音楽ＣＤなどのタイトル情報を記録するＴＯＣ（Ｔａｂｌｅ  Ｏｆ  Ｃｏｎｔｅｎｔｓ）を読み取り、タイトルが付与されていないタイトル未付与楽曲数を抽出する。
【００１４】
受付部１０４は、抽出部１０３によって抽出されたタイトル未付与楽曲数の中から、タイトルの取得を要求するタイトル要求楽曲数の入力を受け付ける。入力は、具体的には、利用者からの操作入力が挙げられる。
【００１５】
算出部１０５は、受付部１０４が受け付けたタイトル要求楽曲数に対応してタイトルの取得に要する料金を算出する。算出部１０５は、具体的には、一曲のタイトルを取得する際に要する料金と、タイトル要求楽曲数とを乗じることにより、取得料金を算出する。また、取得部１０２が予め設定された通信網を介して楽曲のタイトルを取得する場合において、算出部１０５は、通信網を用いる日時、移動状態、通信機種に応じて、一曲あたりの取得料金を算出するようにしてもよい。
【００１６】
表示制御部１０６は、受付部１０４が受け付けたタイトル要求楽曲数と、算出部１０５によって算出された取得料金とをそれぞれグラフ表示させた画面情報を出力する。グラフ表示は、円グラフ表示、折れ線グラフ表示、などいずれであってもよいが、代表的には、棒グラフ状に表示されるバー表示が挙げられる。グラフ表示されたタイトル要求楽曲数の画面情報と取得料金の画面情報とは、連動するようになっている。つまり、取得料金は、タイトル要求楽曲数に基づいて算出されるため、入力されたタイトル要求楽曲数が変化すると、それに応じて変化する。
【００１７】
表示部１０７は、表示制御部１０６から出力されたタイトル要求楽曲数と取得料金との画面情報をグラフ表示する。表示部１０７は、具体的には、ディスプレイなどである。
【００１８】
また、表示制御部１０６は、タイトル要求楽曲数に応じた領域を示す要求曲数グラフの画面情報と、前記取得料金に応じた領域を示す料金グラフの画面情報とを出力することが望ましい。この場合、表示部１０７は、表示制御部１０６から出力された画面情報を基に、要求曲数グラフと、料金グラフとを表示する。
【００１９】
要求曲数グラフは、代表的には、タイトル未付与楽曲数に対するタイトル要求楽曲数の割合を示す画面情報である。また、料金グラフは、予め設定される所定の料金に対する算出された取得料金の割合を示す画面情報である。所定の料金は、たとえば、利用者にとって支払可能な上限料金として設定されている。設定に際しては、予めメーカー側で設定してもよいし、利用者が適宜設定してもよい。
【００２０】
また、表示制御部１０６は、要求曲数グラフと、料金グラフとを並列に配置した画面情報を出力することが望ましい。並列に配置とは、たとえば、バー表示されるグラフの場合、バーを縦にして並列に配置したものや、バーを横にして並列したものや、また、バーを斜めに並列に配置したものであってもよい。
【００２１】
また、表示制御部１０６は、記録部１０１に記録される総楽曲数に対するタイトル未付与楽曲数の割合を示す総曲数グラフの画面情報を出力することが望ましい。この場合、表示部１０７は、表示制御部１０６から出力された画面情報を基に、総曲数グラフを表示する。
【００２２】
また、本実施の形態において、算定部１０８は、任意の構成要素である。算定部１０８は、抽出部１０３によって抽出されたタイトル未付与楽曲数から受付部１０４が受け付けたタイトル要求楽曲数を減じた残楽曲数を算定する。この場合、表示制御部１０６は、記録部１０１に記録される総楽曲数に対する、タイトル要求楽曲数の割合と、算定された残楽曲数の割合と、タイトルが既に付与されているタイトル付与済楽曲数の割合と、を示す総曲数グラフの画面情報を出力する。
【００２３】
また、本実施の形態において、要求曲数グラフ、料金グラフ、および総曲数グラフは、バー表示されたものであることが望ましい。
【００２４】
また、本実施の形態において、検知部１０９と起動部１１０は、任意の構成要素である。検知部１０９は、記録部１０１にタイトルが付与されていないタイトル未付与楽曲数を検知する。起動部１１０は、検知部１０９によって検知されたタイトル未付与楽曲数が所定の楽曲数に達したときに、抽出部１０３による抽出を開始させる。所定の楽曲数は、たとえば、利用者が予め設定した任意の楽曲数である。また、所定の楽曲数は、所定の取得料金に応じた楽曲数、つまり、利用者が設定した支払可能な上限の取得料金に対して通信可能なタイトル要求楽曲数であってもよい。
【００２５】
検知部１０９は、たとえば、ＣＤやＭＤが挿入された際などに、ＴＯＣを読み取り、タイトルが付与されていないタイトル未付与楽曲数を検知する。起動部１１０が抽出部１０３を起動させることにより、たとえば、表示部１０７がタイトルを取得する際の画面に切り替わる。
【００２６】
なお、本実施の形態において、受付部１０４は、取得料金の入力を受け付けるようにすることも可能である。この場合、算出部１０５は、受付部１０４が受け付けた取得料金に対して通信可能なタイトル要求楽曲数を算出するようにすればよい。取得料金の受け付けは、たとえば、利用者からの操作入力によっておこなわれる。算出部１０５によって算出されるタイトル要求楽曲数は、具体的には、受付部１０４が受け付けた取得料金を、一曲のタイトルを取得する際に要する取得料金で除すことによって算出される。したがって、この場合、グラフ表示されたタイトル要求楽曲数の表示画面は取得料金の表示画面に、連動するようになる。つまり、タイトル要求楽曲数は、取得料金に基づいて算出されるため、入力された取得料金が変化すると、それに応じて変化する。
【００２７】
（表示装置の表示処理手順）
つぎに、図２を用いて、表示装置１００の表示処理手順について説明する。図２は、実施の形態にかかる表示装置の表示処理手順の一例を示すフローチャートである。
【００２８】
図２のフローチャートにおいて、表示装置１００は、たとえば、利用者からの操作入力により、タイトル付与の開始を受け付けるのを待って（ステップＳ２０１：Ｎｏのループ）、タイトル付与の開始を受け付けると（ステップＳ２０１：Ｙｅｓ）、抽出部１０３は、記録部１０１に記録される楽曲の中から、タイトルが付与されていないタイトル未付与楽曲数を抽出する（ステップＳ２０２）。
【００２９】
そして、受付部１０４は、抽出部１０３によって抽出されたタイトル未付与楽曲数の中から、タイトルの取得を要求するタイトル要求楽曲数の入力を受け付けるまで、待機する（ステップＳ２０３：Ｎｏのループ）。ステップＳ２０３において、受付部１０４は、タイトル未付与楽曲数の中から、タイトル要求楽曲数の入力を受け付けると（ステップＳ２０３：Ｙｅｓ）、算出部１０５は、受付部１０４が受け付けたタイトル要求楽曲数に対応してタイトルの取得に要する料金を算出する（ステップＳ２０４）。
【００３０】
そして、表示制御部１０６は、受付部１０４が受け付けたタイトル要求楽曲数と、算出部１０５によって算出された取得料金とをそれぞれグラフ表示させた画面情報を出力する（ステップＳ２０５）。そして、表示部１０７は、タイトル要求曲数と取得料金とをグラフ表示し（ステップＳ２０６）、一連の処理を終了する。
【００３１】
以上説明したように、本実施の形態にかかる表示装置１００によれば、表示制御部１０６がタイトル要求楽曲数と、算出された取得料金とをそれぞれグラフ表示させた画面情報を出力することにより、表示部１０７はタイトル要求楽曲数の画面情報と、取得料金の画面情報とをグラフ表示するようにした。このような構成により、利用者は、タイトル要求楽曲数がどの程度あるのか、また、取得料金がどの程度かかるのかを、視覚的にとらえることができ、一見して把握することができる。また、タイトル要求楽曲数に応じて取得料金が算出されるため、タイトル要求楽曲数に連動して取得料金を表示させることができ、利用者は、タイトル要求楽曲数または取得料金のバランスを考慮して、タイトルを取得することができる。
【００３２】
また、本実施の形態にかかる表示装置１００によれば、表示制御部１０６がタイトル要求楽曲数に応じた領域を示す要求曲数グラフの画面情報と、取得料金に応じた領域を示す料金グラフの画面情報とを出力することにより、表示部１０７は、要求曲数グラフと、料金グラフとを表示するようにしてもよい。このような構成により、タイトル未付与楽曲数に対してタイトル要求楽曲数がどの程度あるのか、また、取得料金がどの程度かかるのかを、より視覚的にとらえることができ、より把握しやすくなる。
【００３３】
また、本実施の形態にかかる表示装置１００によれば、要求曲数グラフは、タイトル未付与楽曲数に対するタイトル要求楽曲数の割合を示す画面情報であり、料金グラフは、予め設定される所定の料金に対する算出された取得料金の割合を示す画面情報としてもよい。このような構成により、タイトル未付与楽曲数に対してタイトル要求楽曲数がどの程度あるのか、所定の料金に対して取得料金がどの程度かかるのかを把握することができる。したがって、タイトル要求楽曲数を取得し過ぎることにより、取得料金が予想以上にかかるといった事態を防止できる。
【００３４】
また、本実施の形態にかかる表示装置１００によれば、表示制御部１０６は、要求曲数グラフと、料金グラフとを並列に配置した画面情報を出力してもよい。このような構成により、タイトル未付与楽曲数に対してタイトル要求楽曲数がどの程度あるのか、また、取得料金がどの程度かかるのかを、より視覚的にとらえることができ、より把握しやすくなる。
【００３５】
また、本実施の形態にかかる表示装置１００によれば、表示制御部１０６は、記録部１０１に記録される総楽曲数に対するタイトル未付与楽曲数の割合を示す総曲数グラフの画面情報を出力してもよい。この場合、表示部１０７は、表示制御部１０６から出力された画面情報を基に、総曲数グラフを表示する。このような構成より、利用者は、記録されている総楽曲数に対して、どの程度、タイトル未付与楽曲数があるのかを、視覚的にとらえることができることにより、一見して把握することができる。
【００３６】
また、本実施の形態にかかる表示装置１００によれば、タイトル未付与楽曲数からタイトル要求楽曲数を減じた残楽曲数を算定する算定部１０８を備えるようにしてもよい。そして、この場合、表示制御部１０６は、記録される総楽曲数に対する、タイトル要求楽曲数の割合と、残楽曲数の割合と、既にタイトルが付与されているタイトル付与済楽曲数の割合と、を示す総曲数グラフの画面情報を出力する。このような構成により、総楽曲数とタイトル要求楽曲数を連動させて表示することが可能なため、利用者は、総楽曲数に応じて、タイトル要求楽曲数をどの程度にすべきかを考慮して、タイトルの要求をおこなうことができる。したがって、利用者は、計画的にタイトル要求楽曲数の取得をおこなうことができる。
【００３７】
また、本実施の形態にかかる表示装置１００によれば、要求曲数グラフ、料金グラフ、および総曲数グラフは、バー表示されたものであることが望ましい。このような構成により、利用者は、各曲数または料金を、最も視覚的にとらえることができる。
【００３８】
また、本実施の形態にかかる表示装置１００によれば、タイトル未付与楽曲数を検知する検知部１０９を備えるようにしてもよい。この場合、検知部１０９によってタイトル未付与楽曲数が所定の楽曲数に達したことを検知したときに、抽出部１０３による抽出を開始させる起動部１１０を備えればよい。このような構成により、タイトル未付与楽曲数が所定の楽曲数に達したときに、抽出部１０３によるタイトル未付与楽曲数の抽出を開始するので、利用者は、頻繁にタイトル未付与楽曲数をチェックする必要がなく、煩わしさを排除できる。
【００３９】
また、本実施の形態にかかる表示装置１００によれば、取得部１０２が予め設定された通信網を介して楽曲のタイトルを取得する構成の場合、算出部１０５は、通信網を用いる日時、移動状態、または通信機種に応じて、一曲あたりの取得料金を算出してもよい。したがって、算出部１０５は、現実にかかる費用に即した通信料、または利用者が設定した取得料金に対して通信可能なタイトル要求楽曲数を算出することができる。このような構成により、利用者は、現実にかかる通信料や通信可能なタイトル要求楽曲数を正確に把握することができる。
【実施例】
【００４０】
以下に、本発明の実施例について説明する。本実施例では、車両に搭載されるオーディオ装置によって、本発明の表示装置１００を実施した場合の一例について説明する。
【００４１】
（オーディオ装置３００のハードウェア構成）
図３を用いて、本実施例にかかるオーディオ装置３００のハードウェア構成について説明する。図３は、本実施例にかかる表示装置のハードウェア構成の一例を示すブロック図である。図３において、オーディオ装置３００は、車両などの移動体に搭載されており、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、を備えている。また、各構成部３０１〜３１３はバス３２０によってそれぞれ接続されている。
【００４２】
ＣＰＵ３０１は、オーディオ装置３００の全体の制御を司る。ＲＯＭ３０２は、ブートプログラム、音響制御プログラム、表示制御プログラム、などの各種プログラムを記録している。また、ＲＡＭ３０３は、ＣＰＵ３０１のワークエリアとして使用される。
【００４３】
音響制御プログラムは、音声Ｉ／Ｆ３０８によってスピーカ３０９から出力する音声の音響特性を決定させ、決定された音響特性によってスピーカ３０９を介して音声出力をおこなう。再生出力する音声は、通信Ｉ／Ｆ３１３を介して入力されたテレビやラジオなどの音声や、磁気ディスク３０５、光ディスク３０７に記録される楽曲のほか、ＣＤ、ＭＤ、カセットなどに記録される楽曲などである。
【００４４】
表示制御プログラムは、磁気ディスク３０５や光ディスク３０７のほか、ＣＤなどに記録される楽曲の中から、タイトルが付与されていない総曲数をバー表示させた画面情報としてディスプレイ３１２に出力する。また、タイトルの取得を要求するタイトル要求楽曲数、およびタイトル要求楽曲数に対応した通信料金をバー表示させた画面情報としてディスプレイ３１２に出力する。
【００４５】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００４６】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱可能な記録媒体として、光ディスク３０７のほか、ＭＯ、メモリカードなどであってもよい。
【００４７】
音声Ｉ／Ｆ３０８は、音声出力用のスピーカ３０９に接続される。スピーカ３０９からは、音声が出力される。入力デバイス３１０は、文字、数値、各種指示などの入力のための複数のキーを備えたリモコン、キーボード、マウス、タッチパネルなどが挙げられる。入力デバイス３１０は、リモコン、キーボード、マウス、タッチパネルのうち、いずれか一つの形態によって実現されてもよいし、複数の形態によって実現してもよい。
【００４８】
映像Ｉ／Ｆ３１１は、ディスプレイ３１２と接続される。映像Ｉ／Ｆ３１１は、具体的には、たとえば、ディスプレイ３１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１２を表示制御する制御ＩＣなどによって構成される。
【００４９】
ディスプレイ３１２には、アイコン、カーソル、メニュー、ウインドウ、文字、画像、バーなどの各種データが表示される。バーの変化状態は、ＣＰＵ３０１によって算出される。このディスプレイ３１２は、たとえば、ＣＲＴ、ＴＦＴ液晶ディスプレイ、プラズマディスプレイなどを採用することができる。
【００５０】
通信Ｉ／Ｆ３１３は、無線を介してネットワークに接続され、オーディオ装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。通信網には、ＬＡＮ、ＷＡＮ、公衆回線網や携帯電話網などがある。
【００５１】
図１に示した表示装置１００が備える記録部１０１と、取得部１０２と、抽出部１０３と、受付部１０４と、算出部１０５と、表示制御部１０６と、表示部１０７と、算定部１０８と、検知部１０９と、起動部１１０とは、図３に示したオーディオ装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、オーディオ装置３００における各部を制御することによってその機能を実現する。
【００５２】
すなわち、本実施例のオーディオ装置３００は、オーディオ装置３００における記録媒体としてのＲＯＭ３０２に記録されている表示制御プログラムを実行することにより、図１に示した表示装置１００が備える機能を、図２に示した表示処理手順で実行することができる。
【００５３】
（オーディオ装置３００の表示処理の一例）
つぎに、図４を用いて、本実施例にかかるオーディオ装置３００がおこなう表示処理の一例について説明する。図４は、本実施例にかかるオーディオ装置の表示処理の一例を示すフローチャートである。
【００５４】
図４のフローチャートにおいて、オーディオ装置３００は、タイトルが付与されていないタイトル未付与楽曲数が所定数以上検知されるまで待機状態にあり（ステップＳ４０１：Ｎｏのループ）、タイトル未付与楽曲が所定数以上検知されると（ステップＳ４０１：Ｙｅｓ）、たとえば、磁気ディスク３０５に記録される楽曲の中から、タイトルが付与されていないタイトル未付与楽曲数を抽出する（ステップＳ４０２）。そして、総楽曲数および抽出したタイトル未付与楽曲数を、それぞれバー表示させた画面情報として、ディスプレイ３１２に出力する（ステップＳ４０３）。そして、ディスプレイ３１２は、各バーを表示する（ステップＳ４０４）。
【００５５】
なお、各バーは、詳細については後述するが、磁気ディスク３０５に記録される楽曲の総楽曲数に対するタイトル未付与楽曲数の割合を表示した総曲数バーと、タイトル未付与楽曲数に対するタイトル要求楽曲数の割合を表示する要求曲数バーと、所定の料金に対する通信料金の割合を表示する料金バーである。
【００５６】
そして、抽出されたタイトル未付与楽曲数の中から、タイトルの取得を要求するタイトル要求楽曲数、または通信料金の入力を受け付けるまで待機する（ステップＳ４０５：Ｎｏのループ）。ステップＳ４０５において、タイトル要求楽曲数または通信料金の入力を受け付けると（ステップＳ４０５：Ｙｅｓ）、受け付けた入力がタイトル要求楽曲数か否かを判断する（ステップＳ４０６）。
【００５７】
ステップＳ４０６において、受け付けた入力がタイトル要求楽曲数であると判断した場合（ステップＳ４０６：Ｙｅｓ）、受け付けたタイトル要求楽曲数に対応した通信料金を算出する（ステップＳ４０７）。なお、通信料金の算出は、予め設定される一曲あたりの通信料金に曲数を乗じればよい。そして、ディスプレイ３１２は、入力されたタイトル要求楽曲数、および算出された通信料金を、それぞれバー表示させた画面情報に反映させて、ディスプレイ３１２に出力する（ステップＳ４０８）。そして、ディスプレイ３１２は、出力された画面情報に基づいて、各バーを再表示する（ステップＳ４０９）。
【００５８】
一方、ステップＳ４０６において、受け付けた入力がタイトル要求楽曲数ではないと判断した場合（ステップＳ４０６：Ｎｏ）、通信料金を受け付ける（ステップＳ４１０）。そして、通信料金に対して通信可能なタイトル要求楽曲数を算出し（ステップＳ４１１）、ステップＳ４０８に移行する。なお、この場合、ステップＳ４０８において、ディスプレイ３１２に出力される画面情報は、入力された料金と、算出されたタイトル要求楽曲数とをバー表示させた画面情報である。
【００５９】
そして、ステップＳ４１０にて再表示された各バーを基に、利用者が操作入力することにより、表示内容の決定を受け付けたか否かを判断する（ステップＳ４１２）。ステップＳ４１２において、表示内容の決定を受け付けたと判断すると（ステップＳ４１２：Ｙｅｓ）、決定された内容がインターネットを通じてサーバに送信されるとともに、サーバからタイトル情報を受信することによって、タイトルを取得し（ステップＳ４１３）、一連の処理を終了する。一方、ステップＳ４１２において、表示内容の決定を受け付けたと判断しなければ（ステップＳ４１２：Ｎｏ）、ステップＳ４０５に移行する。
【００６０】
（ディスプレイ３１２に表示される各バーの一例）
つぎに、図５を用いて、本実施例にかかるオーディオ装置３００のディスプレイ３１２に表示される各バーについて説明する。図５は、本実施例にかかるオーディオ装置のディスプレイに表示されるバーの一例を示す説明図である。なお、図５は、タイトルの付与をおこなう表示画面に切り替わった際の初期画面を示している。
【００６１】
図５において、ディスプレイ３１２に表示される表示画面５００には、総曲数バー５１０と、要求曲数バー５２０と、料金バー５３０と、合計表示部５４０と、決定ボタン５５０とが表示されている。
【００６２】
総曲数バー５１０は、記録される総楽曲数をバー状に示したものである。この総曲数バー５１０は、磁気ディスク３０５などに記録される総楽曲数５１１と、タイトルが既に付与されている楽曲のタイトル付与済楽曲数５１２と、タイトルが付与されていない楽曲のタイトル未付与楽曲数５１３とが表示されている。
【００６３】
要求曲数バー５２０は、利用者が取得を要求するタイトル要求楽曲数をバー状に示したものである。この要求曲数バー５２０は、上述した総曲数バー５１０のタイトル未付与楽曲数５１３に相当し、利用者からの操作入力を受け付けることにより、タイトル要求楽曲数がバー状に表示される。また、要求曲数バー５２０は、利用者からの操作入力を受け付ける曲数増加ボタン５２１と曲数減少ボタン５２２とがタッチパネルによって表示されている。なお、図５に示す表示画面５００おいて、要求曲数バー５２０の最大値は４０（曲）になっているが、タイトル未付与曲数に応じて、最大値も適宜切り替わって表示される。
【００６４】
また、料金バー５３０は、タイトルを取得するにあたって支払われる通信料金を棒グラフ状に示したものである。この料金バー５３０は、利用者からの操作入力を受け付ける料金増加ボタン５３１と料金減少ボタン５３２とがタッチパネルによって表示されている。図５に示す表示画面５００において、料金バー５３０の最大値は、たとえば、５００円になっているが、これは通信料金の上限金額として利用者が予め設定した金額である。なお、この上限金額は適宜切り替えることが可能である。
【００６５】
合計表示部５４０は、タイトル要求楽曲数の合計と、通信料金の合計とをそれぞれ数字で示したものである。決定ボタン５５０は、タッチパネルにより表示されており、利用者からの操作入力があると、合計表示部５４０に表示される内容に基づいて、サーバとの通信をおこなう。
【００６６】
つぎに、図６を用いて、本実施例にかかるオーディオ装置３００のディスプレイ３１２に表示される各バー５１０，５２０，５３０の表示の変化について説明する。図６は、本実施例にかかるオーディオ装置のディスプレイに表示されるバーの表示の変化の一例を示す説明図である。なお、図６は、利用者が、曲数増加ボタン５２１、曲数減少ボタン５２２、料金増加ボタン５３１、または料金減少ボタン５３２を操作することにより、各バー５１０，５２０，５３０の表示が変化した状態を示している。
【００６７】
図６に示す、表示画面６００は、たとえば、利用者が要求する曲数を入力するために、要求曲数バー５２０の曲数増加ボタン５２１を操作し、要求曲数バー５２０の要求曲数割合６２０が増加した状態を示している。そして、要求曲数バー５２０の増加に連動して、料金バー５３０の料金割合６３０も増加する。
【００６８】
また、要求曲数バー５２０の変化に伴って、総曲数バー５１０の表示も変化する。具体的には、総曲数バー５１０のタイトル未付与楽曲数５１３が、タイトル要求楽曲数６１０と、残楽曲数６１１とに表示される。なお、タイトル未付与楽曲数５１３に対するタイトル要求楽曲数６１０の割合は、要求曲数バー５２０に表示されるフルスケール６２１（４０曲）に対する要求曲数割合６２０（２０曲）の割合とほぼ同等である。
【００６９】
また、要求曲数バー５２０の変化に伴って、合計表示部５４０の表示内容も変化し、図６においては、タイトル要求楽曲数に２０曲が、通信料金に１００円が表示されている。なお、本実施例では、一曲あたり通信料金は、通信料金１００円をタイトル要求楽曲数２０曲で除した５円となっている。この通信料金は、日時、移動状態、または通信機種に応じて、適宜変えてもよい。
【００７０】
図６に示す表示画面６００において、利用者が表示内容を確認し、決定ボタン５５０を操作すると、表示された内容がサーバに送信されるとともに、サーバから要求した曲数のタイトルを受信する。受信したタイトルは、各楽曲に対応するＴＯＣに記録される。
【００７１】
また、上述した説明では、利用者が要求曲数バー５２０の曲数増加ボタン５２１または曲数減少ボタン５２２を操作することによって通信料金を算出して表示するようにしたが、通信料金の入力によってタイトル要求楽曲数を算出して表示することもできる。具体的には、利用者が、料金バー５３０の料金増加ボタン５３１または料金減少ボタン５３２を操作すると、料金バー５３０の料金割合６３０の表示が変化し、これに伴って、要求曲数バー５２０の要求曲数割合６２０の表示も変化する。本実施例では、一曲あたりの通信料金は５円であるため、たとえば、利用者が料金バー５３０の料金減少ボタン５３２を操作することにより、料金割合６３０が半分（５０円）になったとすると、タイトル要求楽曲数が算出され、要求曲数バー５２０の要求曲数割合６２０が半分（１０曲）の位置に表示される。
【００７２】
また、上述した実施例では、タイトル要求楽曲数を取得する際の取得料金を通信料金としたが、タイトルを購入する場合には、通信料金に購入料金を加算した料金となる。この場合、通信料金に購入料金を加算した料金に基づいて、タイトル要求楽曲数や取得料金の算出をおこなえばよい。
【００７３】
また、本実施例において、タイトルを受信した際には、受信したタイトルを各楽曲に対応するＴＯＣに記録するようにした。ＴＯＣへの記録に際しては、たとえば、サーバに要求したタイトルをサーバから受信できない場合や、利用者が望んだものと異なるタイトルを受信した場合に対応するために、受信したタイトルを各楽曲のＴＯＣに仮設定しておき、再生時等に本設定させることにより記録させてもよい。
【００７４】
また、サーバからタイトルを受信した際には、受信したタイトル数を表示画面に反映させてもよい。これにより、利用者は、送信したタイトル要求楽曲数と受信したタイトル数とが一致するか否かを確認できる。また、受信できなかったタイトル数をタイトル未付与楽曲数に加算して表示することにより、利用者は、送受信後のタイトル付与済楽曲数およびタイトル未付与楽曲数を把握することができる。
【００７５】
また、本実施例においては、バー表示したグラフについて、説明したが、これに限られるものではなく、円グラフや、折れ線グラフなどによる表示をおこなうことも、勿論可能である。
【００７６】
以上説明したように、本実施例にかかるオーディオ装置３００によれば、タイトル要求楽曲数と、算出された取得料金とをそれぞれグラフ表示させた画面情報を出力することにより、ディスプレイ３１２に、タイトル要求楽曲数と通信料金とをそれぞれグラフ表示する。このような構成により、利用者は、タイトル要求楽曲数がどの程度あるのか、また、通信料金がどの程度かかるのかを、視覚的にとらえることができ、一見して把握することができる。また、タイトル要求楽曲数に応じて通信料金が算出されるため、タイトル要求楽曲数に連動して通信料金を表示させることができ、利用者は、タイトル要求楽曲数または通信料金のバランスを考慮して、タイトルを通信することができる。
【００７７】
また、本実施例にかかるオーディオ装置３００によれば、タイトル要求楽曲数に応じた長さの要求曲数バー５２０と、通信料金に応じた長さの料金バー５３０とを表示するようにした。このような構成により、タイトル未付与楽曲数に対してタイトル要求楽曲数がどの程度あるのか、また、通信料金がどの程度かかるのかを、より視覚的にとらえることができ、より把握しやすくなる。
【００７８】
また、本実施例にかかるオーディオ装置３００によれば、要求曲数バー５２０は、タイトル未付与楽曲数５１３に対するタイトル要求楽曲数の割合を示すものであり、料金バー５３０は、予め設定される所定の料金に対する算出された通信料金を示すものである。このような構成により、タイトル未付与楽曲数に対してタイトル要求楽曲数がどの程度あるのか、所定の料金に対して通信料金がどの程度かかるのかを把握することができる。したがって、タイトル要求楽曲数を取得し過ぎることにより、通信料金が予想以上にかかるといった事態を防止できる。
【００７９】
また、本実施例にかかるオーディオ装置３００によれば、要求曲数バー５２０と、料金バー５３０とを並列に配置して表示させた。このような構成により、タイトル未付与楽曲数に対してタイトル要求楽曲数がどの程度あるのか、また、通信料金がどの程度かかるのかを、より視覚的にとらえることができ、より把握しやすくなる。
【００８０】
また、本実施例にかかるオーディオ装置３００によれば、記録される総楽曲数に対するタイトル未付与楽曲数の割合を示す総曲数バー５１０を表示してもよい。このような構成より、利用者は、記録されている総楽曲数に対して、どの程度、タイトル未付与楽曲数があるのかを、視覚的にとらえることができることにより、一見して把握することができる。
【００８１】
また、本実施例にかかるオーディオ装置３００によれば、タイトル未付与楽曲数からタイトル要求楽曲数を減じた残楽曲数を算定し、総曲数バー５１０は、記録される総楽曲数に対する、タイトル要求楽曲数の割合と、残楽曲数の割合と、タイトル付与済楽曲数の割合と、を示すようにした。このような構成により、総楽曲数とタイトル要求楽曲数を連動させて表示することが可能なため、利用者は、総楽曲数に応じて、タイトル要求楽曲数をどの程度にすべきかを考慮して、タイトルの要求をおこなうことができる。したがって、利用者は、計画的にタイトル要求楽曲数の通信をおこなうことができる。
【００８２】
また、本実施例にかかるオーディオ装置３００によれば、要求曲数バー５２０、料金バー５３０、および総曲数バー５１０は、バー表示させたものである。このような構成により、利用者は、各曲数または料金を、最も視覚的にとらえることができる。
【００８３】
また、本実施例にかかるオーディオ装置３００によれば、タイトル未付与楽曲数を検知し、タイトル未付与楽曲数が所定の楽曲数に達したことを検知したときに、タイトル未付与楽曲数の抽出を開始させるようにした。このような構成により、タイトル未付与楽曲数が所定の楽曲数に達したときに、タイトル未付与楽曲数の抽出を開始するので、利用者は、頻繁にタイトル未付与楽曲数をチェックする必要がなく、煩わしさを排除できる。
【００８４】
また、本実施例にかかるオーディオ装置３００によれば、通信網を利用する日時、移動状態、または通信機種に応じて、一曲あたりの通信料金を算出してもよい。したがって、算出部１０５は、現実にかかる費用に即した通信料、または利用者が設定した通信料金に対して通信可能なタイトル要求楽曲数を算出することができる。このような構成により、利用者は、現実にかかる通信料や通信可能なタイトル要求楽曲数を正確に把握することができる。
【００８５】
以上説明したように、本発明の表示装置、表示方法、表示制御プログラム、および記録媒体によれば、オーディオ装置３００は、タイトル要求楽曲数と、算出された取得料金とをそれぞれグラフ表示させた画面情報を出力することにより、ディスプレイ３１２に、タイトル要求楽曲数と通信料金とをそれぞれグラフ表示する。このような構成により、利用者は、タイトル要求楽曲数がどの程度あるのか、また、通信料金がどの程度かかるのかを、視覚的にとらえることができ、一見して把握することができる。また、タイトル要求楽曲数に応じて通信料金が算出されるため、タイトル要求楽曲数に連動して通信料金を表示させることができ、利用者は、タイトル要求楽曲数または通信料金のバランスを考慮して、タイトルを通信することができる。
【００８６】
なお、本実施例で説明した表示方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットなどのネットワークを介して配布することが可能な伝送媒体であってもよい。
【図面の簡単な説明】
【００８７】
【図１】実施の形態にかかる表示装置の機能的構成の一例を示すブロック図である。
【図２】実施の形態にかかる表示装置の表示処理手順の一例を示すフローチャートである。
【図３】本実施例にかかるオーディオ装置のハードウェア構成の一例を示すブロック図である。
【図４】本実施例にかかるオーディオ装置の表示処理の一例を示すフローチャートである。
【図５】本実施例にかかるオーディオ装置のディスプレイに表示されるバーの一例を示す説明図である。
【図６】本実施例にかかるオーディオ装置のディスプレイに表示されるバーの表示の変化の一例を示す説明図である。
【符号の説明】
【００８８】
１００  表示装置
１０１  記録部
１０２  取得部
１０３  抽出部
１０４  受付部
１０５  算出部
１０６  表示制御部
１０７  表示部
１０８  算定部
１０９  検知部
１１０  起動部
３００  オーディオ装置
５１０  総曲数バー
５２０  要求曲数バー
５３０  料金バー
【図１】
2008242940.tif 000003
【図２】
2008242940.tif 000004
【図３】
2008242940.tif 000005
【図４】
2008242940.tif 000006
【図５】
2008242940.tif 000007
【図６】
2008242940.tif 000008